(57)【要約】【課題】撮像前に観賞時の被写体の大きさを容易に確認することができる撮像装置を提供すること。【解決手段】画像を印刷または表示する装置から観賞媒体のサイズの情報を取得し設定する、もしくは撮影者が観賞媒体のサイズを設定する、印刷サイズ設定手段と、画像データを取得する撮像手段と、前記撮像手段により撮像された画像データを表示する表示手段と、前記画像データの一部分の大きさを画像全体に対する比率で算出するサイズ算出手段と、前記画像データの一部分を前記サイズ算出手段で算出した比率と、前記観賞媒体サイズ設定手段により設定した観賞媒体のサイズの情報に基づき、印刷または表示される原寸大にリサイズし、前記画像データに重ねて前記表示手段に表示することを特徴とする。【選択図】図４
2016201710.tif 000002
【特許請求の範囲】
【請求項１】
画像を印刷または表示する装置から、観賞媒体のサイズの情報を取得し設定する、もしくは撮影者が観賞媒体のサイズを設定する、観賞媒体サイズ設定手段と、
画像データを取得する撮像手段と、
前記撮像手段により撮像された画像データを表示する表示手段と、
前記画像データの一部分の大きさを画像全体に対する比率で算出するサイズ算出手段と、
前記画像データの一部分を前記サイズ算出手段で算出した比率と、前記観賞媒体サイズ設定手段により設定した観賞媒体のサイズの情報に基づき、印刷または表示される原寸大にリサイズし、前記画像データに重ねて前記表示手段に表示することを特徴とする撮像装置。
【請求項２】
前記画像データから人物の顔を検出する顔検出手段をさらに有することを特徴とする請求項１に記載の撮像装置。
【請求項３】
前記顔検出手段により検出された顔の中から、主被写体となる人物を選択する主被写体選択手段をさらに有することを特徴とする請求項２に記載の撮像装置。
【請求項４】
前記画像データから人物の顔を認識する顔認識手段をさらに有することを特徴とする請求項３に記載の撮像装置。
【請求項５】
前記顔認識手段により認識した人物を自動で主被写体に設定することを特徴とする請求項４に記載の撮像装置。
【請求項６】
前記撮像装置は、観賞時に認識できる顔の大きさの情報を閾値として持つことを特徴とする請求項１に記載の撮像装置。
【請求項７】
前記サイズ算出手段にて算出した画像データの一部分の大きさが、前記閾値より小さいかを判定する判定手段を有し、前記閾値より小さい場合に原寸大にリサイズを行うことを特徴とする請求項６に記載の撮像装置。
【請求項８】
前記リサイズ後の画像データの一部分のサイズが前記表示手段のサイズを超える場合には、リサイズ表示を行わないことを特徴とする請求項１に記載の撮像装置。
【発明の詳細な説明】
【技術分野】
【０００１】
本発明は、撮像装置に関し、特に被写体の一部を、印刷物又は表示装置に表示される際の画像サイズに応じた大きさにリサイズし、スルー画像上に表示させる撮像装置に関する。
【背景技術】
【０００２】
撮像装置により撮像した画像を印刷物、またはデジタルフォトフレーム等で観賞することが行われている。しかしながら、撮像時のフレーミングにおいては観賞時の被写体の大きさがイメージしづらく、 撮像した画像を観賞する際に、細部が確認できないほど被写体が小さくなってしまうという問題が起きることがあった。 
【０００３】
上記問題に対し、観賞時の被写体の大きさを確認するための技術として、特許文献１がある。特許文献１は、スルー画像上にガイド目盛を表示させ、被写体をユーザーが意図した大きさに印刷できるような撮像補助を行う技術である。以下、印刷物のサイズ、またはデジタルフォトフレームなどの表示装置のサイズを、観賞媒体サイズと称する。また、画像を観賞媒体サイズにリサイズした時のサイズを、実観賞サイズと称する。 
【先行技術文献】
【特許文献】
【０００４】
【特許文献１】特開２００５−３４１０５２号公報
【発明の概要】
【発明が解決しようとする課題】
【０００５】
特許文献１に記載の技術では、表示部に所定サイズのガイド目盛を表示し、相対的に被写体の大きさの確認を行うため、実観賞サイズでの被写体の大きさがイメージしづらいという課題は残っている。
【０００６】
本発明は、上述した課題に鑑みてなされたものであり、その目的は、ユーザーが被写体の実観賞サイズを確認することで、撮像時のフレーミングによる失敗を軽減するための撮像補助を行うことである。
【課題を解決するための手段】
【０００７】
上記目的を達成するために、本発明に係わる撮像装置は、画像を印刷または表示する装置から観賞媒体のサイズの情報を取得し設定する、もしくは撮影者が観賞媒体のサイズを設定する、観賞媒体サイズ設定手段と、画像データを取得する撮像手段と、前記撮像手段により撮像された画像データを表示する表示手段と、前記画像データの一部分の大きさを画像データ全体に対する比率で算出するサイズ算出手段と、前記画像データの一部分を前記サイズ算出手段で算出した比率と、前記観賞媒体サイズ設定手段により設定した観賞媒体のサイズの情報に基づき、印刷または表示される原寸大にリサイズし、前記画像データに重ねて前記表示手段に表示することを特徴とする。
【発明の効果】
【０００８】
本発明によれば、想定している観賞媒体サイズの大きさに基づいた被写体の実観賞サイズを撮像前に確認することができるため、撮像時のフレーミングによる失敗を軽減するための撮像補助を行う撮像装置を提供することができる。
【図面の簡単な説明】
【０００９】
【図１】本発明の各実施の形態に共通する撮像装置の概略ブロック構成図である。
【図２】本発明の各実施の形態に共通する、外部デバイスから観賞媒体サイズ情報を取得する手順を示すフローチャートである。
【図３】本発明の実施例１における観賞サイズ確認モードの一連の流れを示すフローチャートである。
【図４】本発明の実施例１における実観賞サイズ画像作成処理のフローチャートである。
【図５】本発明の各実施の形態に共通する、画像データの一部分の水平・垂直方向の画素数を算出する例である。
【図６】本発明の各実施の形態に共通する、画像データ全体の水平方向の画素数を算出する例である。
【図７】本発明の各実施の形態に共通する、リサイズ後の表示画面の例を示す例である。
【図８】本発明の各実施の形態に共通する、フレーミング再調整の例である。
【図９】本発明の実施例２における観賞サイズ確認モードの一連の流れを示すフローチャートである。
【図１０】本発明の実施例２におけるタッチパネルによる画像の局所範囲選択方法の例である。
【発明を実施するための形態】
【００１０】
以下、図１〜図１１を参照して、本発明の各実施例の動作を説明する。
【００１１】
＜実施例１＞
実施例１では、撮像部から得られた画像データに対して、被写体の人物の顔の大きさが、設定した閾値より小さい場合に、画像データの顔部分を実観賞サイズにリサイズし、リサイズした顔画像を表示部に表示する例について述べる。
【００１２】
図１は本発明の各実施の形態に共通する、撮像装置１００の構成例を示すブロック図である。図１において、撮像レンズ１０３はズームレンズ、フォーカスレンズを含むレンズ群である。シャッター１０１は絞り機能を備えるシャッターである。撮像部２２は光学像を電気信号に変換するＣＣＤやＣＭＯＳ素子等で構成される撮像素子である。Ａ／Ｄ変換器２３は、アナログ信号をデジタル信号に変換する。Ａ／Ｄ変換器２３は、撮像部２２から出力されるアナログ信号をデジタル信号に変換するために用いられる。バリア１０２は、撮像装置１００の、撮像レンズ１０３を含む撮像系を覆うことにより、撮像レンズ１０３、シャッター１０１、撮像部２２を含む撮像系の汚れや破損を防止する。
【００１３】
画像処理部２４は、Ａ／Ｄ変換器２３からのデータ、又は、メモリ制御部１５からのデータに対し所定の画素補間、縮小といったリサイズ処理や色変換処理を行う。また、画像処理部２４では、撮像した画像データを用いて所定の演算処理が行われ、得られた演算結果に基づいてシステム制御部５０が露光制御、測距制御を行う。これにより、ＴＴＬ（スルー・ザ・レンズ）方式のＡＦ（オートフォーカス）処理、ＡＥ（自動露出）処理、ＥＦ（フラッシュプリ発光）処理が行われる。画像処理部２４では更に、撮像した画像データを用いて所定の演算処理を行い、得られた演算結果に基づいてＴＴＬ方式のＡＷＢ（オートホワイトバランス）処理も行っている。
【００１４】
Ａ／Ｄ変換器２３からの出力データは、画像処理部２４及びメモリ制御部１５を介して、或いは、メモリ制御部１５を介してメモリ３２に直接書き込まれる。メモリ３２は、撮像部２２によって得られＡ／Ｄ変換器２３によりデジタルデータに変換された画像データや、表示部２８に表示するための画像データを格納する。メモリ３２は、所定枚数の静止画像や所定時間の動画像および音声を格納するのに十分な記憶容量を備えている。
【００１５】
また、メモリ３２は画像表示用のメモリ（ビデオメモリ）を兼ねている。Ｄ／Ａ変換器１３は、メモリ３２に格納されている画像表示用のデータをアナログ信号に変換して表示部２８に供給する。こうして、メモリ３２に書き込まれた表示用の画像データはＤ／Ａ変換器１３を介して表示部２８により表示される。表示部２８は、ＬＣＤ等の表示器上に、Ｄ／Ａ変換器１３からのアナログ信号に応じた表示を行う。Ａ／Ｄ変換器２３によって一度Ａ／Ｄ変換されメモリ３２に蓄積されたデジタル信号をＤ／Ａ変換器１３においてアナログ変換し、表示部２８に逐次転送して表示することで、電子ビューファインダとして機能し、スルー画像表示を行える。
【００１６】
不揮発性メモリ５６は、電気的に消去・記録可能なメモリであり、例えばＥＥＰＲＯＭ等が用いられる。不揮発性メモリ５６には、システム制御部５０の動作用の定数、プログラム等が記憶される。ここでいう、プログラムとは、本実施形態にて後述する各種フローチャートを実行するためのプログラムのことである。
【００１７】
システム制御部５０は、撮像装置１００全体を制御する。前述した不揮発性メモリ５６に記録されたプログラムを実行することで、後述する本実施形態の各処理を実現する。５２はシステムメモリであり、ＲＡＭが用いられる。システムメモリ５２には、システム制御部５０の動作用の定数、変数、不揮発性メモリ５６から読み出したプログラム等を展開する。また、システム制御部はメモリ３２、Ｄ／Ａ変換器１３、表示部２８等を制御することにより表示制御も行う。シャッターボタン６０、モード切り替えスイッチ６５、操作部７０はシステム制御部５０に各種の動作指示を入力するための操作手段である。
【００１８】
シャッターボタン６０は、第１シャッタースイッチ、第２シャッタースイッチの動作を行うための操作手段である。第１シャッタースイッチは、撮像装置１００に設けられたシャッターボタン６０の操作途中、いわゆる半押し（撮像準備指示）でＯＮとなり、第１シャッタースイッチ信号ＳＷ１を発生する。第１シャッタースイッチ信号ＳＷ１により、ＡＦ（オートフォーカス）処理、ＡＥ（自動露出）処理、ＡＷＢ（オートホワイトバランス）処理等の動作を開始する。
【００１９】
第２シャッタースイッチは、シャッターボタン６０の操作完了、いわゆる全押し（撮像指示）でＯＮとなり、第２シャッタースイッチ信号ＳＷ２を発生する。システム制御部５０は、第２シャッタースイッチ信号ＳＷ２により、撮像部２２からの信号読み出しから記録媒体２００に画像データを書き込むまでの一連の撮像処理の動作を開始する。
【００２０】
モード切り替えスイッチ６５は、システム制御部５０の動作モードを静止画記録モード、動画記録モード、再生モード等のいずれかに切り替える。静止画記録モードに含まれる撮影モードとして、観賞サイズ確認モード、オート撮影モード、オートシーン判別モード、マニュアルモード、撮影シーン別の撮影設定となる各種シーンモード、プログラムＡＥモード、カスタムモード等がある。モード切り替えスイッチ６５で、静止画撮影モードに含まれるこれらのモードのいずれかに直接切り替えられる。あるいは、モード切り替えスイッチ６５で静止画撮影モードに一旦切り換えた後に、静止画撮影モードに含まれるこれらのモードのいずれかに、他の操作部材を用いて切り替えるようにしてもよい。同様に、動画撮影モードにも複数のモードが含まれていてもよい。
【００２１】
操作部７０の各操作部材は、表示部２８に表示される種々の機能アイコンを選択操作することなどにより、場面ごとに適宜機能が割り当てられ、各種機能ボタンとして作用する。機能ボタンとしては、例えば終了ボタン、戻るボタン、画像送りボタン、ジャンプボタン、絞込みボタン、属性変更ボタン等がある。例えば、メニューボタンが押されると各種の設定可能なメニュー画面が表示部２８に表示される。利用者は、表示部２８に表示されたメニュー画面と、上下左右の４方向ボタンやＳＥＴボタンとを用いて直感的に各種設定を行うことができる。
【００２２】
記録媒体Ｉ／Ｆ１８は、メモリカードやハードディスク等の記録媒体２００とのインターフェースである。記録媒体２００は、撮像された画像を記録するためのメモリカード等の記録媒体であり、半導体メモリや磁気ディスク等から構成される。外部Ｉ／Ｆ１９は、外部モニターやプリンタ、デジタルフォトフレーム等の外部デバイス２０１とのインターフェースである。また、本発明において、外部デバイス２０１は、観賞媒体サイズの情報を外部Ｉ／Ｆ１９を通じて撮像装置１００に送信する機構を持つものとする。
【００２３】
上述した撮像装置１００では中央１点ＡＦや顔ＡＦを用いた撮像が可能である。中央１点ＡＦとは撮像画面内の中央位置１点に対してＡＦを行うことである。顔ＡＦとは顔検出機能によって検出された撮像画面内の顔に対してＡＦを行うことである。
【００２４】
顔検出機能について説明する。システム制御部５０は顔検出対象の画像データを画像処理部２４に送る。システム制御部５０の制御下で画像処理部２４は、当該画像データに水平方向バンドパスフィルタを作用させる。また、システム制御部５０の制御下で画像処理部２４は処理された画像データに垂直方向バンドパスフィルタを作用させる。これら水平及び垂直方向のバンドパスフィルタにより、画像データよりエッジ成分が検出される。
【００２５】
その後、システム制御部５０は、検出されたエッジ成分に関してパターンマッチングを行い、目及び鼻、口、耳の候補群を抽出する。そして、システム制御部５０は、抽出された目の候補群の中から、予め設定された条件（例えば２つの目の距離、傾き等）を満たすものを、目の対と判断し、目の対があるもののみ目の候補群として絞り込む。そして、システム制御部５０は、絞り込まれた目の候補群とそれに対応する顔を形成する他のパーツ（鼻、口、耳）を対応付け、また、予め設定した非顔条件フィルタを通すことで、顔を検出する。システム制御部５０は、顔の検出結果に応じて上記顔情報を出力し、処理を終了する。このとき、顔の数などの特徴量をシステムメモリ５２に記憶する。
【００２６】
以上のようにライブビュー表示あるいは再生表示される画像データを画像解析して、画像データの特徴量を抽出して被写体情報を検出することが可能である。被写体情報としては、他にも顔認識や、赤目判定や目の検出、目つむり検出、笑顔検出等の様々な情報がある。顔認識とは、システム制御部５０が、画像データを画像解析して得た特徴量により、個人を識別する機能のことである。顔認識に使用される個人の特徴量の情報は、不揮発性メモリ５６に記録されているものとする。
【００２７】
なお、顔ＡＦと同時に顔ＡＥ，顔ＦＥ、顔ＷＢを行うことができる。顔ＡＥとは検出された顔の明るさに合わせて、画面全体の露出を最適化することである。顔ＦＥとは検出された顔を中心にフラッシュの調光をすることである。顔ＷＢとは、検出された顔の色に合わせて画面全体のＷＢを最適化することである。
【００２８】
なお操作部７０の一つとして、表示部２８に対する接触を検知可能なタッチパネルを有する。タッチパネルと表示部２８とは一体的に構成することができる。例えば、タッチパネルを光の透過率が表示部２８の表示を妨げないように構成し、表示部２８の表示面の上層に取り付ける。そして、タッチパネルにおける入力座標と、表示部２８上の表示座標とを対応付ける。
【００２９】
これにより、恰もユーザーが表示部２８上に表示された画面を直接的に操作可能であるかのようなＧＵＩを構成することができる。システム制御部５０はタッチパネルへの以下の操作を検出できる。タッチパネルを指やペンで触れたこと（以下、タッチダウンと称する）。タッチパネルを指やペンで触れている状態であること（以下、タッチオンと称する）。タッチパネルを指やペンで触れたまま移動していること（以下、ムーブと称する）。
【００３０】
タッチパネルへ触れていた指やペンを離したこと（以下、タッチアップと称する）。タッチパネルに何も触れていない状態（以下、タッチオフと称する）。これらの操作や、タッチパネル上に指やペンが触れている位置座標は内部バス１１１を通じてシステム制御部５０に通知され、システム制御部５０は通知された情報に基づいてタッチパネル上にどのような操作が行なわれたかを判定する。ムーブについてはタッチパネル上で移動する指やペンの移動方向についても、位置座標の変化に基づいて、タッチパネル上の垂直成分・水平成分毎に判定できる。またタッチパネル上をタッチダウンから一定のムーブを経てタッチアップをしたとき、ストロークを描いたこととする。素早くストロークを描く操作をフリックと呼ぶ。
【００３１】
フリックは、タッチパネル上に指を触れたままある程度の距離だけ素早く動かして、そのまま離すといった操作であり、言い換えればタッチパネル上を指ではじくように素早くなぞる操作である。所定距離以上を、所定速度以上でムーブしたことが検出され、そのままタッチアップが検出されるとフリックが行なわれたと判定できる。また、所定距離以上を、所定速度未満でムーブしたことが検出された場合はドラッグが行なわれたと判定するものとする。タッチパネルは、抵抗膜方式や静電容量方式、表面弾性波方式、赤外線方式、電磁誘導方式、画像認識方式、光センサ方式等、様々な方式のタッチパネルのうちいずれの方式のものを用いても良い。
【００３２】
なお、撮像装置１００は、主被写体選択手段を持つものとする。主被写体選択手段とは、顔検出機能にて検出された顔情報の中から、主被写体とする人物の顔をユーザーが選択できる機能である。ここでの主被写体選択方法は、操作部７０や、タッチパネルを用いて選択を行う方法があるが、主被写体選択方法はこの限りではない。選択された主被写体の情報は、メモリ３２に記憶される。
【００３３】
また、撮像装置１００は、観賞媒体サイズ設定手段を持つものとする。観賞媒体サイズは、システム制御部５０が、外部Ｉ／Ｆ１９に接続された外部デバイス２０１から情報を読み出す方法や、ユーザーにより操作部７０やタッチパネルを用いる方法で設定される。ただし観賞媒体サイズ設定機能の実現方法はこの限りではない。設定された値はシステム制御部５０により、不揮発性メモリ５６に記録される。
【００３４】
図２は本発明の各実施の形態に共通する観賞媒体サイズの設定方法のうち、外部デバイス２０１としてデジタルフォトフレームを接続した例をフローチャートで示したものである。
【００３５】
ステップＳ３０１で、撮像装置１００は外部Ｉ／Ｆ１９を通してデジタルフォトフレームと接続される。次にステップＳ３０２で、システム制御部５０が外部Ｉ／Ｆ１９からデジタルフォトフレームの観賞媒体サイズの情報を読み出し、不揮発性メモリ５６に記録して、処理を終了する。
【００３６】
図３は実施例１における観賞サイズ確認モードの一連の流れを示したフローチャートである。ここで、撮像装置１００は、観賞媒体サイズの情報がすでに設定されているものとする。まずステップＳ２０１で、ユーザーがモード切り替えスイッチ６５を用いて、静止画記録モードの撮影モードとして、観賞サイズ確認モードを設定することで、観賞サイズ確認モードの処理が開始される。
【００３７】
次にステップＳ２０２では、システム制御部５０が、あらかじめ不揮発性メモリ５６に記録されている観賞媒体サイズの情報を、表示部２８に表示する処理を行い、記録されている観賞媒体サイズ情報をユーザーが確認する。ここで設定されている観賞媒体サイズの情報は、ユーザーが手動で希望の観賞媒体サイズに変更してもよい。システム制御部５０が表示部２８に表示する観賞媒体サイズの情報は、外部Ｉ／Ｆに接続された外部デバイス２０１から取得した情報と、ユーザーが設定した情報のうち、最も新しい設定を適応するものとする。
【００３８】
ステップＳ２０３では、ユーザーが撮像装置１００を操作し、撮像する画角・フレーミングの調整を行う。ステップＳ２０４では、システム制御部５０が、第１シャッタースイッチＳＷ１がシステム制御部５０に入力されるか否かを判定する。第１シャッタースイッチＳＷ１が入力された場合はステップＳ２０５に進み、第１シャッタースイッチＳＷ１が入力されない場合はステップＳ２０３に戻る。
【００３９】
ステップＳ２０５では、システム制御部５０が画像データに対し、実観賞サイズへのリサイズ処理と、リサイズ画像の表示部２８への表示処理を行う。以下ではシステム制御部５０によるリサイズ処理と表示処理と、それに関わる準備処理を、実観賞サイズ画像作成処理と称する。実観賞サイズ画像作成処理の詳細は、後述する。ステップＳ２０６では、ステップＳ２０５にて作成された画像をユーザーが表示部２８を見て確認し、撮像するか否かの判断を行う。
【００４０】
ステップＳ２０７では、システム制御部５０が、第２シャッタースイッチＳＷ２が、システム制御部５０に入力されるか否かを判定する。第２シャッタースイッチＳＷ２が入力されない場合はステップＳ２０８に進み、第２シャッタースイッチＳＷ２が入力された場合はステップＳ２０９に進む。
【００４１】
ステップＳ２０８では、システム制御部５０が、第１シャッタースイッチＳＷ１が入力され続けているか否かを判断する。第１シャッタースイッチＳＷ１が入力され続けていない場合、つまりシャッターボタン６０の半押しが解除された場合はステップＳ２０３に戻る。第１シャッタースイッチＳＷ１が入力され続けている場合はステップＳ２０７に戻る。
【００４２】
ステップＳ２０９では、システム制御部５０は、入力された第２シャッタースイッチ信号ＳＷ２により、撮像部２２からの信号読み出しから記録媒体２００に画像データを書き込むまでの一連の撮像処理の動作を行う。
【００４３】
図４に、ステップＳ２０５で行う実観賞サイズ画像作成処理を、フローチャートで示す。まずステップＳ４０１では、システム制御部５０が、画像処理部２４により、取り込んだ画像データに対して顔検出処理を行い、顔が検出されるか否かを判定する。顔が検出された場合はステップＳ４０２へ進み、顔が検出されなかった場合は実観賞サイズ画像作成処理を終了する。
【００４４】
ステップＳ４０２では、システム制御部５０が、画像処理部２４により、ステップＳ４０１で検出された顔に対して顔認識がされるか否かを判定する。顔認識がされた場合はステップＳ４０３に進み、顔認識がされない場合にはステップＳ４０４に進む。 
【００４５】
ステップＳ４０３では、システム制御部５０が、画像処理部２４により、ステップＳ４０２で認識された顔を、主被写体にするか否かをユーザーに選択させるよう表示部２８に表示を出す。ユーザーから、顔認識された顔を主被写体にするという操作があれば、システム制御部５０は、その顔を主被写体としてメモリ３２に記憶し、ステップＳ４０５へ進む。ユーザーから、顔認識された顔を主被写体にしないという操作があれば、ステップＳ４０４へ進む。ステップＳ４０４では、システム制御部５０が、画像処理部２４により、ステップＳ４０１で検出された顔の中から、主被写体とする人物の顔をユーザーに選択させるよう表示部２８に表示を出す。
【００４６】
ここでシステム制御部５０は、ユーザーが選択した主被写体の情報を、メモリ３２に記憶する。ステップＳ４０３、Ｓ４０４における主被写体の選択方法はユーザーが操作部７０を用いて設定する方法や、タッチパネルで設定する方法などであるが、主被写体選択方法はこの限りではない。
【００４７】
ステップＳ４０５では、システム制御部５０の制御下で画像処理部２４が、画像データから、ステップＳ４０３、またはＳ４０４で設定された主被写体の顔の、水平・垂直方向の画素数情報を取得する（図５のα、β）。ステップＳ４０６では、システム制御部５０の制御下で画像処理部２４が、ステップＳ４０６で取得した主被写体の顔の画素数情報から、主被写体の顔の水平・垂直画素数の比を算出する（β／αを算出）。ステップＳ４０７では、システム制御部５０の制御下で画像処理部２４が、ステップS４０５で取得した主被写体の顔の水平方向画素数の、画像データ全体の水平方向画素数（図６のγ）に対する比を算出する（α／γを算出）。
【００４８】
次にステップＳ４０８では、システム制御部５０の制御下で画像処理部２４が、あらかじめ設定された観賞媒体サイズ情報に基づき、主被写体の顔の水平方向の実観賞サイズを算出する。計算としては、観賞媒体サイズの水平方向のサイズがＸｋｍｍとすると、Ｘｋ＊（α／γ）を算出することになる。
【００４９】
さらにステップＳ４０９では、システム制御部５０の制御下で画像処理部２４が、ステップＳ４０８で算出した主被写体の顔の水平方向の実観賞サイズと、ステップＳ４０６で算出した主被写体の顔の水平・垂直画素数の比から、主被写体の顔の垂直方向の実観賞サイズを算出する。計算としては、Ｘｋ＊（α／γ）＊（β／α）を算出することになる。
【００５０】
ステップＳ４１０では、システム制御部５０が、画像処理部２４により、ステップＳ４０９までに算出した主被写体の顔の大きさが閾値以上か否かを判定する。閾値の情報は、あらかじめ不揮発性メモリ５６内に記録されているものとする。主被写体の顔の大きさが閾値以下の場合はステップＳ４１１に進む。閾値以上の場合は、実観賞サイズにした際に、被写体が十分認識可能な大きさになっているためリサイズの必要が無いものとして、画像のリサイズ処理を行わず、実観賞サイズ画像作成処理を終了する。
【００５１】
ステップＳ４１１では、システム制御部５０が、画像処理部２４により、画像データの主被写体の顔を、ステップＳ４０９までに算出した実観賞サイズの大きさにリサイズし、表示画面２８に表示し、実観賞サイズ画像作成処理を終了する。表示部２８の水平方向のサイズがＸｅｓｍｍで、ピクセル数がｘｅｐであるとする。その場合、表示部２８に、顔の水平方向の大きさをＸｋ＊（α／γ）の大きさにして表示するためのピクセル数は、（Ｘｅｐ＊Ｘｋ＊（α／γ））／Ｘｅｓで算出できる。
【００５２】
同様に垂直方向の大きさをＸｋ＊（α／γ）＊（β／α）で表示するためのピクセル数は、（（Ｘｅｐ＊Ｘｋ＊（α／γ））／Ｘｅｓ）＊（β／α）で算出できる。
【００５３】
ここでステップＳ４０５からＳ４１１の処理を、具体的な数値を用いて示す。主被写体の顔の水平方向の画素数が４００、垂直方向の画素数が６００だとすると、顔の水平・垂直比が３／２と算出される。また、画像データの画素数が４０００×２５００の１０００万画素であるとすると、全画像に対する顔の水平方向画素数の比は１／１０と算出される。
【００５４】
観賞媒体サイズとしてＬ版が設定されていた場合、Ｌ版のサイズは１２７ｍｍ×８９ｍｍであるため、観賞時の顔の水平方向のサイズをｘとすると、計算式はｘ＝１２７＊（１／１０）となるため、観賞時には１２．７ｍｍで表示されることになる。顔の垂直方向のサイズをｙとすると、顔の水平・垂直の比が３／２であることから、計算式はｙ＝１２．７＊（３／２）となるため、観賞時には１９．０５ｍｍで表示されることになる。
【００５５】
被写体の顔を、横１２．７ｍｍ、縦１９．０５ｍｍで表示する例を考える。例えば表示部２８が６４０×４８０の画素数、４０ｍｍ×３０ｍｍであるとする。顔の水平方向を、表示部２８に１２．７ｍｍで表示するための画素数をｗとする。計算式はｗ＝（６４０＊１２．７）／４０となるため、画像データ中の主被写体の顔の水平方向のピクセル数を２０３ピクセルにリサイズすれば、表示部２８にて主被写体の顔の水平方向が１２．７ｍｍで表示されることになる。また水平・垂直比が３／２であることから、垂直方向を１９．０５ｍｍで表示するためのピクセル数をｚとすると、計算式はｚ＝２０３＊（３／２）となる。つまり、ピクセル数が３０４ピクセルになるようにリサイズすれば、表示部２８にて主被写体の顔の垂直方向が１９．０５ｍｍで表示されることになる。
【００５６】
システム制御部５０は、画像処理部２４により、主被写体の顔画像を算出したピクセル数になるようリサイズし、その画像データをメモリ３２に記憶する。ここでシステム制御部５０は、ユーザーが実観賞サイズでの被写体の頭部全体を確認できるよう、顔検出された顔の範囲よりも大きな範囲を、リサイズする範囲としてもよい。その実現方法は、選択された顔画像データに対して、中心から所定の係数をかけたピクセル数の範囲までのリサイズを行い、表示をする方法がある。しかし実現方法はこの限りではない。
【００５７】
元の画像データと、リサイズした顔画像データを画像処理部２４で重ね合わせ、その画像データをメモリ３２に記録する。さらにその画像データを、表示部２８を用いて表示する。リサイズした顔のデータを元の画像データと重ね合わせる方法は、例えばリサイズした顔画像の最左上の画素を、表示部２８の最左上の画素に揃えるなどの方法である（図７）。ただし画像の重ね合わせの方法はこの限りではない。
【００５８】
本実施例では、リサイズ後の画像データが閾値より小さい場合にリサイズ処理を行わない構成としたが、リサイズ後の画像データの水平・垂直方向いずれかのサイズが、表示部２８の水平・垂直方向いずれかのサイズより大きい場合に、リサイズ処理を行わない構成としても良い。なお、上記算出方法は、本実施例の一形態に過ぎず、本発明の算出方法をこれに限定するものではない。
【００５９】
図８は実施例１で示した図３のステップＳ２０３における、ユーザーによるフレーミング再調整の一例である。主被写体の顔の撮像時の大きさをユーザーが確認し、小さいと判断した場合（図８（Ａ））に、半押しを解除してフレーミングを再調整することで、主被写体の顔を、観賞時にユーザーが意図した大きさになるように撮像することが可能となる（図８（Ｂ））。
【００６０】
＜実施例２＞
実施例２では、実施例１の実観賞サイズ画像作成処理を、リサイズの対象を顔に限定せず、画像データ内の一部分を実観賞サイズにリサイズして表示部２８に表示する例について述べる。図９は、実施例２における観賞サイズ確認モードの一連の流れを示したフローチャートである。なお、図９のステップＳ５０１、Ｓ５０２、Ｓ５０４、Ｓ５０６〜Ｓ５０９の処理はそれぞれ、実施例１で示した図３のステップＳ２０１、Ｓ２０２、Ｓ２０４、Ｓ２０６〜Ｓ２０９と同様の処理なので説明を省略する。
【００６１】
ステップＳ５０３では、ユーザーが、画角・フレーミング調整動作と、画像の局所範囲選択を行う。ユーザーによる画角・フレーミング調整動作は、実施例１と同様の処理なので説明を省略する。画像の局所範囲選択の一例を図１０に示す。ユーザーがタッチパネル部より、表示画像の確認したい局所範囲をムーブ、タッチアップする（図１０（Ａ））ことで、システム制御部５０はムーブ開始時の座標、タッチアップ時の座標情報から、画像の局所範囲を選択する（図１０（Ｂ））。ただし範囲選択方法はこの限りではない。
【００６２】
ステップＳ５０５では、システム制御部５０が画像データに対し、実観賞サイズ画像作成処理を行う。実施例２における実観賞サイズ画像作成処理は、ステップＳ５０５で選択した局所範囲に対して、実施例１で人物の顔に対して実施された処理と同様の処理を行う箇所なので、説明は省略する。
【００６３】
以上説明したように、本発明によれば、ユーザーが撮像前に被写体の実観賞サイズを確認でき、意図する大きさよりも小さいと感じた場合にフレーミングの再調整を行うことができるため、主に被写体が小さくなるような場合での撮像時の失敗を軽減できる。
【００６４】
以上、本発明の好ましい実施形態について説明したが、本発明はこれらの実施形態に限定されず、その要旨の範囲内で種々の変形及び変更が可能である。
【００６５】
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００６６】
１３  Ｄ／Ａ変換器、１５  メモリ制御部、１８  記録媒体Ｉ／Ｆ、１９  外部Ｉ／Ｆ、
２２  撮像部、２３  Ａ／Ｄ変換器、２４  画像処理部、２８  表示部、３２  メモリ、
５０  システム制御部、５２  システムメモリ、５６  不揮発性メモリ、
６０  シャッターボタン、６５  モード切り替えスイッチ、７０  操作部、
１００  撮像装置、１０１  シャッター、１０２  バリア、１０３  撮像レンズ、
１１１  内部バス、２００  記録媒体、２０１  外部デバイス
【図１】
2016201710.tif 000003
【図２】
2016201710.tif 000004
【図３】
2016201710.tif 000005
【図４】
2016201710.tif 000006
【図５】
2016201710.tif 000007
【図６】
2016201710.tif 000008
【図７】
2016201710.tif 000009
【図８】
2016201710.tif 000010
【図９】
2016201710.tif 000011
【図１０】
2016201710.tif 000012